(57)【要約】【課題】構造を簡略化し、より趣味性及びエンターテイメント性を有し、携帯しやすい自動回転装置を提供する。【解決手段】回転本体２と、支持体４と、支持体４及び回転本体２を接続し回転本体２を支持体４を回って回動可能に駆動させる駆動手段６とを備える。回転本体２は、その外表面から内に向って収容チャンバが凹設され、支持体４は実質的に収容チャンバ内に収容され、かつ、支持体４の露出された表面は、回転本体２の外表面の完整性を図るために実質的に回転本体２の外表面の一部を構成している。支持体４と回転本体２とは、回転本体２が駆動手段６により駆動されて回動する場合に、支持体４を静止させて動かないように直接的にコンタクトして接続されることがない。駆動手段６は、モーター６２及びモーター６２と電気的に接続される電源供給手段６４を備える。【選択図】図１
0003129046.tif 000002
【実用新案登録請求の範囲】
【請求項１】
回転本体と、支持体と、支持体及び回転本体を接続し回転本体を前記支持体を回って回動可能に駆動させる駆動手段とを備える自動回転装置において、
前記回転本体は、その外表面から内に向って収容チャンバが凹設され、
前記支持体は、実質的に前記収容チャンバ内に収容され、支持体の露出された表面は、回転本体の外表面の完整性を図るために実質的に回転本体の外表面の一部を構成し、
前記支持体と前記回転本体とは、回転本体が駆動手段により駆動されて回動する場合、前記支持体を静止させて動かないように直接的にコンタクトして接続されることがなく、
前記駆動手段は、モーター及びモーターと電気的に接続される電源供給手段を備えることを特徴とする自動回転装置。
【請求項２】
前記回転本体は、第１のケースと、第２のケースと、第１のケース及び第２のケースの間に接続されるアクチュエーターとを備え、
前記アクチュエーターは、第１のケース及び第２のケースを一体に接続可能であり、モーターの出力軸に接続され、
前記収容チャンバは第２のケースの内に設けられ、前記収容チャンバは円柱型の側壁と平面の底壁とを有し、前記底壁には開口が設けられ、
前記支持体は、コンタクトせずに収容チャンバの底壁における開口を通じてモーターに接続される支持軸を備え、
前記電源供給手段は電池であることを特徴とする請求項１に記載の自動回転装置。
【請求項３】
前記モーターの支持体に対向する位置には、接続孔を有する接続部が設けられ、支持軸のモーターに対向する位置には、接続部の接続孔に挿入可能な接続柱が設けられて、駆動手段と支持体とを固定的に接続することを特徴とする請求項２に記載の自動回転装置。
【請求項４】
第２のケースの収容チャンバの側壁と支持体との間に軸受を実装することにより、回転本体と支持体との間に非直接コンタクトの相対回動可能な活動接続部が形成され、
前記支持軸は、第２のケースの外表面に対向する外端部に軸肩が設けられ、軸受の内周はスペーサを介して前記軸肩に当接可能であり、軸受の外周は収容チャンバの底壁に当接可能であることを特徴とする請求項２に記載の自動回転装置。
【請求項５】
支持体は、支持軸の外端部に設けられた支持ケースをさらに備え、前記支持ケースの外表面は支持体の露出された表面を構成し、前記支持ケースは、自動回転装置を磁力による吸込み式によって底座に固定させるように磁気材料または磁石材料からなることを特徴とする請求項２に記載の自動回転装置。
【請求項６】
モーターには、自動回転装置の重心垂直線がモーターの出力軸の中心線と挟み角を形成するように重りをさらに設けることを特徴とする請求項１に記載の自動回転装置。
【考案の詳細な説明】
【技術分野】
【０００１】
本考案は、回転装置に関し、特に、任意物体の上で自分の支持体を回って回動可能な自動回転装置に関する。
【背景技術】
【０００２】
工芸品が日増しに発展されるにつれて、工芸品に対する趣味性とエンターテイメント性の要求もだんだん高まりつつあり、多くの工芸品も静的から動的へ発展していく。例えば、従来の地球儀は静的なものであったが、その趣味性及びエンターテイメント性を高めるために、支持座を回って回動可能な地球儀が生じていた。現行の工芸品の回転装置は、通常、回転装置の外にある支持座に実装され、駆動手段により回転装置を駆動して当該支持座を回って回動させる。前記駆動手段は、モーター駆動だけでなく、磁気浮上駆動を採用することもできる。
しかしながら、回転装置は支持座から分離することができないため、工芸品の全体が支持座の設計に制限され、工芸品の趣味性及びエンターテイメント性を高めるのに不利であることはいうまでもない。
また、設けられた回動物体の支持座も工芸品の全体を大型化させ、携帯し難くなる。
【考案の開示】
【考案が解決しようとする課題】
【０００３】
本考案は、任意物体の上で自分の支持体を回って自動的に回動可能であり、格別に特定な支持座を配置する必要はなく、回転装置の構造を簡略化し、回転装置がより趣味性及びエンターテイメント性を有し、携帯しやすい自動回転装置を提供することを目的とする。
【課題を解決するための手段】
【０００４】
上記目的を達成するために、本考案は、回転本体と、支持体と、支持体及び回転本体を接続し回転本体を前記支持体を回って回動可能に駆動させる駆動手段とを備える自動回転装置において、前記回転本体は、その外表面から内に向って収容チャンバが凹設され、前記支持体は実質的に前記収容チャンバ内に収容され、かつ、支持体の露出された表面は、回転本体の外表面の完整性を図るために実質的に回転本体の外表面の一部を構成し、前記支持体と前記回転本体とは、回転本体が駆動手段により駆動されて回動する場合に、前記支持体を静止させて動かないように直接的にコンタクトして接続されることなく、前記駆動手段は、モーター及びモーターと電気的に接続される電源供給手段を備える自動回転装置を提供する。
（考案の効果）
本考案によれば、その構造が簡単で便利であり、回転装置の趣味性及びエンターテイメント性を高め、かつ当該回転装置の携帯に有利である。
【考案を実施するための最良の形態】
【０００５】
図１から図５に示すように、本考案の第１実施例による自動回転装置は、回転本体２と、支持体４と、支持体４と回転本体２とを接続する駆動手段６とを備える。本実施例において、この回転本体２は球体であり、必要に応じて地球儀またはその他の球体のモデルに作成することができる。本実施例の回転本体２は、如何なる対称的な回転体でもよく、他の実施例において、この回転本体２は、必要に応じて人物や動物のモデルまたはその他のモデルを作成することができる。本実施例において、この回転本体２は、第１のケース２２と、第２のケース２４と、第１のケース２２及び第２のケース２４の間に接続されたアクチュエーター２５とを備える。アクチュエーター２５は、第１のケース２２及び第２のケース２４を一体に接続させることができ、かつ、駆動手段６と接続される。
【０００６】
第２のケース２４は、その外表面から内に向って収容チャンバ２６が凹設され、支持体４の全体は実質的に該収容チャンバ２６内に収容され、かつ、支持体４の露出された表面は、第２のケース２４の外表面の完整性を図るために実質的に第２のケース２４の外表面の一部を構成することにより、収容チャンバ２６の設置が回転本体２の全体のモデリングに影響を与えないようにする。本実施例において、この収容チャンバ２６は倒立杯型であり、円柱型の側壁２８と平面の底壁３０とを備える。該底壁３０には円型の開口３２が設けられる。
当該支持体４は支持軸４０を備え、コンタクトせずに収容チャンバ２６の底壁３０の開口３２を通じて駆動手段６に接続される。
【０００７】
その駆動手段６は、モーター６２及びモーター６２と電気的に接続された電源供給手段６４を備える。本実施例において、当該モーター６２の支持体４に対向する位置には、接続孔６８を有する接続部６６が設けられる。支持軸４０のモーター６２に対向する位置には、接続部６６の接続孔６８内に挿入可能な接続柱４４が設けられて、駆動手段６と支持体４とを固定的に接続する。モーター６２の接続部６６に対する反対側には、アクチュエーター２５に固定的に接続される出力軸７０が設けられる。電源供給手段６４はモーター６２に実装される。本実施例において、その電源供給手段６４は、例えば、乾電池、充電電池などの電池である。
【０００８】
当該モーター６２が電源に接続されてオンした後、該モーター６２の出力軸７０は、回転本体２がこの支持体４を回って回動するようにアクチュエーター２５を駆動することができ、当該支持体４は回転本体２と直接コンタクトされていないため、回転本体２が駆動手段６により駆動されて回動する場合には、支持体４は固定されて変動しない。これにより、本実施例の自動回転装置を整体的に他の物体の位置に対して固定し変動しないように確保する。
【０００９】
本実施例において、さらに、第２のケース２４の収容チャンバ２６の側壁２８と支持体４との間に軸受１０を実装することにより、回転本体２と支持体４との間に非直接コンタクトの相対回動可能な活動接続を形成するとともに、回転本体２と支持体４との相対的な位置関係を確保する。軸受１０は、すべり軸受やベアリングを用いてもよい。支持軸４０は、第２のケース２４の外表面に対向する外端部に軸肩４２を設け、軸受１０の内周はスペーサ１２を介してその軸肩４２に当接され、軸受１０の外周は収容チャンバ２６の底壁３０に当接される。
【００１０】
本実施例において、支持体４は、支持軸４０の外端部に設けられた支持ケース４６をさらに備え、該支持ケース４６の外表面は支持体４の露出された表面を構成することができる。その他の選択的な実施例においては、当該支持軸４０は支持ケース４６と一体的に設置することができる。支持ケース４６の外表面は回転本体２の支持面を形成する。支持ケース４６に回転本体２を支持して他の物体の上に置いた場合に、回転本体２が回動されると、この回転本体２は支持体４を回って自動的に回動する。
【００１１】
本実施例において、モーターの出力軸の中心線Ｃは支持体４の中心線と重なり合い、自動回転装置の重心垂直線Ｇはモーターの出力軸の中心線Ｃと重なり合う。当該支持体４は、例えば金属のような密度の高い材料から形成されてもよく、回転本体２は、例えばプラスチックのような密度の低い材料から形成されてもよい。かつ、回転本体の質量は支持体４の周囲で均一に分布され、これにより、自動回転装置を他の物体の上に置いた場合に、支持ケース４６の外表面における中心点は、安定的に回転本体２の支持点として回転本体２を他の物体の上に支持させることができる。自動回転装置の重心垂直線Ｇと、支持体４の中心線と、モーターの出力軸の中心線Ｃとが重なり合うため、回転本体２が回動される場合に、その回転本体２は他の物体に対して自動回転装置の重心垂直線Ｇを回って自動的に回動することになる。
【００１２】
図６に示すように、本考案の第２実施例による自動回転装置は、モーター６２に重り７２を設け、該重り７２とモーター６２との接続はいずれの可能性もあるゴム接着のような現行の接続技術を用いることができることのみが上記第１実施例と異なっている。その他の選択的な実施例において、この重り７２はモーター６２と一体に成形されてもよい。この重り７２を設置することにより、本実施例の自動回転装置の重心垂直線Ｇがモーターの出力軸の中心線Ｃと挟み角を形成し、支持体４の中心線はモーターの出力軸の中心線Ｃと重なり合うようになる。この時、その回転本体２を他の物体の上に支持させる支持点は、支持体４の外表面における中心点にあるものではない。本実施例の自動回転装置の回転本体２はモーターの出力軸の中心線Ｃを回って回動されるため、本実施例の自動回転装置の回動はその重心軸からずれた状態（偏軸）になり、その偏軸度は必要に応じて設定することができ、本実施例において、該偏軸度は従来の地球儀と実質的に同じである。
【００１３】
図７に示すように、本考案の第３実施例による自動回転装置は、支持体４’の支持ケース４６’が、本実施例の自動回転装置を磁力による吸込み式によって支持ケース４６’に吸い込み可能な磁石材料または磁気材料１７を設けた底座１８に固定させるように、磁気材料または磁石材料からなることのみが本考案の第１の実施例と異なっている。そのため、本実施例の自動回転装置は対応する底座１８の上に固定されることができ、該底座１８の放置方式により異なる状態になり、例えば、底座１８が懸けると、自動回転装置は倒立状をなす。これにより、本実施例の自動回転装置は任意角度で置くことができ、その趣味性及びエンターテイメント性を増す。
（産業上の利用可能性）
総じて、本考案の自動回転装置は、任意物体の上で自分の支持体を回って自動的に回動可能であり、格別に特定な支持座を配置する必要はなく、回転装置の構造を簡略化し、回転装置がより趣味性及びエンターテイメント性を有し、携帯しやすい。
【図面の簡単な説明】
【００１４】
【図１】本考案の第１実施例による自動回転装置の分解斜視図である。
【図２】本考案の第１実施例による自動回転装置のモーターの斜視図である。
【図３】本考案の第１実施例による自動回転装置の部分組立図である。
【図４】本考案の第１実施例による自動回転装置の斜視図である。
【図５】図４における５−５方向に沿う部分断面図であり、支持軸及びモーターは断面されていない。
【図６】本考案の第２実施例による自動回転装置の部分断面図である。
【図７】本考案の第３実施例による自動回転装置の部分断面図である。
【符号の説明】
【００１５】
２：回転本体、４：支持体、６：駆動手段、２２：第１のケース、２４：第２のケース、２５：アクチュエーター、２６：収容チャンバ、２８：側壁、３０：底壁、３２：開口、４０：支持軸、６２：モーター、６４：電源供給手段
【図１】
0003129046.tif 000003
【図２】
0003129046.tif 000004
【図３】
0003129046.tif 000005
【図４】
0003129046.tif 000006
【図５】
0003129046.tif 000007
【図６】
0003129046.tif 000008
【図７】
0003129046.tif 000009